【事件の表示】
　特願２００２−１５９８１０「会計処理装置、定型仕訳登録方法、定型仕訳呼出方法、複合仕訳呼出方法、プログラム、およびプログラムを記録したコンピュータ読み取り可能な記録媒体」拒絶査定不服審判事件〔平成１６年　１月　８日出願公開、特開２００４−　　５１９５〕について、次のとおり審決する。
【結　論】
　本件審判の請求は、成り立たない。
【理　由】
１．手続の経緯・本願発明
　本願は、平成１４年５月３１日の出願であって、その請求項１に係る発明（以下「本願発明」という。）は、平成２１年１１月２６日付け手続補正書の請求項１に記載された事項により特定される、以下のとおりのものと認められる。
「キー入力手段と、キー入力された定型仕訳名称および当該定型仕訳の説明文を含む定型仕訳情報を定型仕訳情報レコードとして登録するための定型仕訳情報登録メモリと、登録される定型仕訳を構成するそれぞれの行ごとの、借方科目情報、貸方科目情報、定型仕訳情報レコード生成時に自動発行される定型仕訳番号、および振替伝票形式で表示する際の表示位置情報を含む定型仕訳データを登録するための定型仕訳登録メモリと、オペレータが振替伝票入力画面上の指示選択欄から所望の指示を選択するための指示選択手段と、振替伝票入力処理プログラムと、を備えた会計処理装置において、
前記振替伝票入力処理プログラムに基づいて、
振替伝票入力画面表示制御手段が、所定のフォーマットの振替伝票入力画面を表示するステップ、
　定型仕訳登録指示検出手段が、前記指示選択手段による定型仕訳登録指示を検出するステップ、
　前記定型仕訳登録指示が検出されたとき、
定型仕訳登録画面表示制御手段が、所定のフォーマットの定型仕訳登録画面を表示し、定型仕訳名称および該定型仕訳の説明文の入力と該画面に表示される取引形態分類の選択を促すステップ、
定型仕訳情報レコード登録手段が、定型仕訳番号を自動発行し、その定型仕訳番号、上記ステップで選択された取引形態分類に対応する取引形態コード、および前記キー入力手段によってキー入力された定型仕訳名称と説明文を含む定型仕訳情報レコードを生成して前記定型仕訳情報登録メモリに登録するステップ、
定型仕訳登録手段が、前記振替伝票入力画面の伝票データ入力欄にキー入力された振替伝票データを借方要素毎および貸方要素毎に分解して各借方要素に対応する定型仕訳データと各貸方要素に対応する定型仕訳データをそれぞれ生成して定型的な複合仕訳パターンの要素として上記ステップで自動発行された定型仕訳番号と共に前記定型仕訳登録メモリに記憶するステップ、
から構成される定型仕訳登録方法。」
　
２．当審で通知した拒絶理由に引用した引用例
　一方、当審において平成２１年９月１５日付けで通知した拒絶の理由に引用した「“かんたん操作の会計ソフト　会計王２　ｆｏｒ　Ｗｉｎｄｏｗｓ　(R)　９８／９５　［法人用・個人用両対応］　導入編　第４版”，ソリマチ株式会社，平成１１年３月３１日発行，ｐｐ．７９〜８２」（以下「引用例」という。）には、以下の事項が記載されている。
（ア）「１２．振替伝票事例登録
ここでは、振替伝票入力時に自動仕訳を行うために、よく使う複数行に渡る仕訳を登録します。
１画面に１枚の振替伝票が表示され、１枚の伝票には９９行以内の仕訳が入力できます。
−−−
事例名称：ドロップダウンリストから振替伝票事例名称を選択します。新規に登録する場合は＜新規追加＞を選択します。（Ｐ．８１参照）
−−−
Ｎｏ．　：行Ｎｏが表示されます。
−−−
取　引　：取引区分をドロップダウンリストから選択します。
（取引区分）
−−−
（中略）
−−−
借方科目：借方科目をドロップダウンリストから選択します。
−−−
（中略）
−−−
貸方科目：貸方科目をドロップダウンリストから選択します。
−−−
（以下略）」（７９〜８０頁）
　
（イ）「振替伝票事例を登録・修正する
(1)「事例名称」ドロップダウンリストで、新規に登録する場合は＜新規追加＞をクリック、修正する場合はその事例をクリックします。
(2)振替伝票事例登録修正ダイアログで事例名称等を入力します。
これから入力する振替伝票事例にコードと事例名を付けます。事例名称ドロップダウンリストでは、ここで入力された事例名が表示されます。
−−−
コード　：振替伝票事例コードを半角３桁以内で入力します。
−−−
事例名称：振替伝票事例につける事例名を全角２０文字以内で入力します。
−−−
イニシャルキー：ドロップダウンリストから事例を探しやすくするための設定です。
　　半角５文字以内で入力します。
−−−
(3)「編集」ボタンをクリックします。
(4)振替伝票事例登録画面に戻りますので、事例として摘要文や仕訳等を入力します。
(5)「登録」ボタンをクリックします。」（８１頁）
　
（ウ）引用例記載の会計ソフトは、上記（ア）の「ここでは、振替伝票入力時に自動仕訳を行うために、よく使う複数行に渡る仕訳を登録します。」などの記載から振替伝票の入力処理を行うプログラムであることは明らかであり、「振替伝票入力処理プログラム」と呼びうるものである。また、上記会計ソフトは引用例の書籍タイトルに「ｆｏｒ　Ｗｉｎｄｏｗｓ　(R)　９８／９５」と記載されていることなどからＷｉｎｄｏｗｓがインストールされているコンピュータで動作するプログラムであることは明らかであり、上記会計ソフトが動作するコンピュータは「会計処理装置」と呼びうるものである。そして、上記コンピュータがキーボードやマウスなどの「キー入力手段」と、キー入力された情報を記憶するための「登録メモリ」を備えていることも明らかである。
　
（エ）上記（ア）の「ここでは、振替伝票入力時に自動仕訳を行うために、よく使う複数行に渡る仕訳を登録します。１画面に１枚の振替伝票が表示され、１枚の伝票には９９行以内の仕訳が入力できます。」との記載から、引用例記載の会計ソフトは、コンピュータを、所定のフォーマットの振替伝票入力画面を表示する振替伝票入力画面表示制御手段と呼びうる手段として機能させるものであることは明らかである。
　
（オ）上記（イ）の「(1)「事例名称」ドロップダウンリストで、新規に登録する場合は＜新規追加＞をクリック、修正する場合はその事例をクリックします。(2)振替伝票事例登録修正ダイアログで事例名称等を入力します。」との記載から、引用例記載の会計ソフトは、コンピュータを、オペレータが振替伝票入力画面上の指示選択欄から所望の指示を選択するための指示選択手段、振替伝票事例登録指示を検出する振替伝票事例登録指示検出手段、前記振替伝票事例登録指示が検出されたとき所定のフォーマットの振替伝票事例登録画面を表示し、振替伝票事例名称等の入力を促す振替伝票事例登録画面表示制御手段、及び入力された振替伝票事例を登録メモリに登録する振替伝票事例登録手段と呼びうる手段として機能させるものであることも明らかである。
　
（カ）上記（ア）の「ここでは、振替伝票入力時に自動仕訳を行うために、よく使う複数行に渡る仕訳を登録します。」との記載、引用例の画面表示の記載（７９頁）、及び複合仕訳処理の技術常識から、引用例記載の会計ソフトは振替伝票入力画面の「借方科目」、「借方金額」、「貸方科目」などと表示された伝票データ入力欄にキー入力された振替伝票データを借方要素毎および貸方要素毎に分解して各借方要素に対応する仕訳データと各貸方要素に対応する仕訳データをそれぞれ生成して複合仕訳の要素として登録メモリに記憶していることは明らかである。
　
　したがって、これらの記載事項によれば、引用例には以下の発明（以下「引用例発明」という。）が記載されていると認められる。
「キー入力手段と、キー入力された振替伝票事例名称、振替伝票事例コード、及びイニシャルキー、並びに登録される振替伝票事例を構成するそれぞれの行ごとの、借方科目情報、貸方科目情報、及び行Ｎｏ．を含む振替伝票事例を登録するための登録メモリと、オペレータが振替伝票入力画面上の指示選択欄から所望の指示を選択するための指示選択手段と、振替伝票入力処理プログラムと、を備えた会計処理装置において、
前記振替伝票入力処理プログラムに基づいて、
振替伝票入力画面表示制御手段が、所定のフォーマットの振替伝票入力画面を表示するステップ、
振替伝票事例登録指示検出手段が、前記指示選択手段による振替伝票事例登録指示を検出するステップ、
前記振替伝票事例登録指示が検出されたとき、
振替伝票事例登録画面表示制御手段が、所定のフォーマットの振替伝票事例登録画面を表示し、振替伝票事例名称、振替伝票事例コード、及びイニシャルキーの入力を促すステップ、
振替伝票事例登録手段が、前記キー入力手段によってキー入力された振替伝票事例名称、振替伝票事例コード、及びイニシャルキーを登録メモリに登録すると共に、振替伝票入力画面の伝票データ入力欄にキー入力された振替伝票データを借方要素毎および貸方要素毎に分解して各借方要素に対応する仕訳データと各貸方要素に対応する仕訳データをそれぞれ生成して複合仕訳の要素として前記登録メモリに記憶するステップ、
から構成される振替伝票事例登録方法。」
　
３．対比
　本願発明と引用例発明を対比すると、以下の対応関係が認められる。
（１）引用例発明の「振替伝票事例」は、本願発明の「定型仕訳」に相当するものである。
（２）引用例発明の「振替伝票事例名称」、「振替伝票事例コード」は、本願発明の「定型仕訳名称」、「定型仕訳番号」にそれぞれ相当するものである。
（３）引用例発明の「行Ｎｏ．」は、振替伝票の何行目であるかを示す情報であるという点で、本願発明の「振替伝票形式で表示する際の表示位置情報」に相当するものであるといえる。
　
　したがって、本願発明と引用例発明の間には、以下の一致点、相違点があるといえる。
（一致点）
「キー入力手段と、キー入力された定型仕訳名称、借方科目情報、及び貸方科目情報、並びに定型仕訳番号及び振替伝票形式で表示する際の表示位置情報を含む定型仕訳を登録するための登録メモリと、オペレータが振替伝票入力画面上の指示選択欄から所望の指示を選択するための指示選択手段と、振替伝票入力処理プログラムと、を備えた会計処理装置において、
前記振替伝票入力処理プログラムに基づいて、
振替伝票入力画面表示制御手段が、所定のフォーマットの振替伝票入力画面を表示するステップ、
定型仕訳登録指示検出手段が、前記指示選択手段による定型仕訳登録指示を検出するステップ、
前記定型仕訳登録指示が検出されたとき、
定型仕訳登録画面表示制御手段が、所定のフォーマットの定型仕訳登録画面を表示し、定型仕訳名称の入力を促すステップ、
登録手段が、定型仕訳名称、定型仕訳番号を登録メモリに登録すると共に、振替伝票入力画面の伝票データ入力欄にキー入力された振替伝票データを借方要素毎および貸方要素毎に分解して各借方要素に対応する仕訳データと各貸方要素に対応する仕訳データをそれぞれ生成して複合仕訳の要素として前記登録メモリに記憶するステップ、
から構成される定型仕訳登録方法。」
　
（相違点１）
　本願発明の定型仕訳はキー入力された定型仕訳の説明文を含むように構成されているのに対し、引用例発明の振替伝票事例（定型仕訳）はそのような構成にはなっていない点。
　
（相違点２）
　本願発明の定型仕訳は取引形態分類を画面に表示して（オペレータに）選択された取引形態分類に対応する取引形態コードを含むように構成されているのに対し、引用例発明の振替伝票事例（定型仕訳）はそのような構成にはなっていない点。
　
（相違点３）
　本願発明は登録する定型仕訳を構成する情報を、定型仕訳名称及び当該定型仕訳の説明文を含む定型仕訳情報レコードと、登録される定型仕訳を構成するそれぞれの行ごとの、借方科目情報、貸方科目情報、定型仕訳情報レコード生成時に自動発行される定型仕訳番号、及び振替伝票形式で表示する際の表示位置情報とを含む定型仕訳データとに分けて別々に記憶するように構成されているのに対し、引用例発明はそのような構成にはなっていない点。
　
４．当審の判断
（相違点１）について
　情報処理分野において、オペレータが複数の選択肢から何かを選択する画面に、当該選択肢の名称と共に当該選択肢を説明した文章（説明文）を表示してオペレータが所望の選択肢を探しやすくすることは一般的に行われている周知技術である。このことは伝票入力処理における伝票事例の選択においても同様であり、例えば、「改井満，“中小企業向け業務処理パッケージ・ソフト総点検”，日経ＭＡＣ　創刊前特別号，日経ＢＰ社，１９９３年２月１０日発行，ｐｐ．５３〜６３」が、以下（キ）、（ク）に示すように、伝票入力処理における仕訳パターン（伝票事例）を選択する画面に当該仕訳パターンを説明した仕訳内容（説明文）を表示していることからも明らかである。
（キ）「伝票入力を容易にする仕訳パターン登録
　導入時の料目体系の整備は一過性のハードルだが，日常行う伝票入力はどうか。ここでも会計の知識が必要だ。銀行から現金１００万円を借りた場合は，取引を原因と結果に分けて，振替伝票の借方に「現金１００万円」，貸方に「借入金１００万円」と仕分けられる人が入力を担当しなければならない。
　だが，企業規模が小さいユーザーでは経理の専門家が極端に少ない場合もあるだろう。その人がいなければ，財務会計ソフトを動かせないというのでは，心もとない。そうしたユーザーの環境を想定して，伝票入力の負荷を軽減し，習熟を要しない工夫を施す４Ｄのアプリが増えつつある。
　利用頻度の高い仕訳，複雑な仕訳を金額抜きのパターンとして登録する機能がそれ。シーガルの桑山代表取締役は，「入出金伝票は各１０パターン，振替伝票は３０パターンあればほとんどの仕訳をカバーできる」とする。Ｅｘｃｅ１のマクロで組まれたパッケージに，仕訳登録機能を持つ製品はない。「会計を熟知している人でないと使えない」（「ＭＡＣ会計」開発元の新庄宗昭エーアンドエー社長。４Ｄのアプリになると，「自動仕訳」，「仕訳辞書」など呼び方はさまざまだが，「Ｑｕｏ」を除いてすべてが備える。オッズの西原社長は，「９３年夏に計画しているバージョン・アップで取り組むべき最優先課題の１つ」と言う。
　「インフューズ財務会計」（インフューズ：鹿児島県鹿屋市）は，この仕訳パターン呼び出しを全面に打ち出したソフトである。新規入力する伝票の種類を選択するプルダウンメニューの中に「自動仕訳」を置き，仕訳パターン一覧リストを表示，ワンタッチで伝票を作成できる（図６）。残る３パッケージは，一度白紙伝票を表示させてから，登録済みの仕訳パターン・リストをボタンで表示させる方式をとる。」（５９頁左欄１８行〜６０頁左欄６行）
　
（ク）図６「インフューズ財務会計」の仕訳登録画面（６０頁左欄）には、仕訳パターン一覧リストの表示画面において、「部門」、「仕訳分類」、「仕訳内容」、「区分」、「借方」、「貸方」などを表示している。また上記表示画面の右下方に表示されている「自動仕訳検索」の表示枠（ウィンドウ）には、「当座資産」、「流動資産」などと表示された項目から少なくとも一つを選択可能な「科目分類での検索」の欄と、文字を入力可能な「賃借にこだわらない科目ＣＤ検索」、「借方科目ＣＤ検索」、「貸方科目ＣＤ検索」、「仕訳内容(主摘要)での検索」、「部門ＣＤで検索」の欄と、「検索を実行」などと書かれたボタンが表示されている。
　
　よって、引用例発明の振替伝票事例をオペレータが選択する画面に当該振替伝票事例の内容を説明する文章（説明文）を表示できるように、振替伝票事例に当該振替伝票事例の説明文を含む構成とすることは、引用例発明に上記周知技術を付加したものといえるから、当業者が容易に想到し得たことである。
　
（相違点２）について
　情報処理分野において、分類名を画面に表示して、オペレータが選択した分類に属する選択肢のみを表示することによって、オペレータが所望の選択肢を探しやすくすることは一般的に行われている周知技術である。このことは伝票入力処理における伝票事例の選択においても同様であり、例えば、特開平７−２３０５０７号公報が、従来の技術として以下（ケ）のように、分類名を画面に表示して、オペレータが選択した分類に属する伝票のみを表示していたと記載していることからも明らかである。
（ケ）「【０００２】
【従来の技術】財務処理システムや販売管理システムなどにおいて、キーボード、ＣＲＴディスプレイ等を使用して大量の伝票データを効率的に入力することは重要な課題であるが、この伝票入力の改善方法として伝票データ自体を再利用する方法がいくつか提案されている。例えば特開昭６２−１７３５６７号公報にある様に、予め財務処理システムに登録済みの仕訳パターンを呼び出し、例えば金額などを修正して新たな伝票データとして財務処理システムに入力する方法と、最近の財務処理ソフトウエアが採用している伝票辞書あるいは仕訳辞書と呼ばれるような、定型的な伝票データを辞書として登録しておき、分類やコードで検索して呼び出し、金額などを修正して再利用するものとがある。この伝票辞書として登録し再利用する従来技術の実施画面例を図１０に示す。ウインドウ１０１は伝票辞書の内容を表示しており、表示領域１０２は伝票データを分類するための分類項目、表示領域１０３には表示領域１０２で選択された分類に属する伝票データの選択項目が表示されている。この表示例では「分類１」に属する伝票データが表示領域１０３に表示されており、「分類２」にカーソルを合わせれば別の伝票データが表示領域１０３に表示される。従って、１つの分類に２５枚の伝票データを登録でき、５分類あるので合計１２５枚の伝票データを登録できる。伝票データを再利用するときは、分類項目に入力装置１でカーソルを合わせると分類項目に対応した伝票選択項目が表示領域１０３に表示されるので、目的とする伝票データの伝票選択項目にカーソルを合わせキー入力すると、伝票データが伝票入力画面に取り込まれる。この伝票データを修正して財務処理システムに入力する。」
　
　よって、引用例発明の振替伝票事例を取引形態などで分類し、当該取引形態分類名を画面に表示して、オペレータが選択した取引形態分類に属する振替伝票事例のみを表示できるようにするために、振替伝票事例に取引形態分類に対応する取引形態コードを含む構成とすることは、引用例発明に上記周知技術を付加したものといえるから、当業者が容易に想到し得たことである。
　
（相違点３）について、
　上記「（相違点１）について」に記載したとおり、振替伝票事例に当該振替伝票事例の説明文を含ませることは当業者が容易に想到し得たことであって、また振替伝票事例コード（定型仕訳番号）をオペレータがキー入力する構成から会計ソフトが自動発行する構成とすることに格別の困難性は認められない。
　本願の請求項１は、定型仕訳情報レコードが定型仕訳番号を含むことを特定してはいないが、本願発明の定型仕訳データは定型仕訳番号を含み、本願の明細書の記載から上記定型仕訳データは上記定型仕訳番号を関連キーとして上記定型仕訳情報レコードと関連づけられていることが明らかであるから、本願発明の定型仕訳情報レコードは定型仕訳番号を含むものであるといえる。
　引用例には引用例発明が振替伝票事例をどのようなデータ構造で情報処理しているのか明記はされていないが、情報処理の分野（特にリレーショナル・データベースなど）において、複数の項目から構成される一つのレコードを、ある項目を関連キーとして二つのレコードに分けて別々に登録することは適宜行われていることであるから、引用例発明の複数の項目から構成される振替伝票事例を、振替伝票事例コード（定型仕訳番号）を関連キーとして、振替伝票事例名称（定期仕訳名称）、当該振替伝票事例の説明文、及び振替伝票事例コード（定型仕訳番号）を含むデータ（定型仕訳情報レコード）と、登録される振替伝票事例（定型仕訳）を構成するそれぞれの行ごとの、借方科目情報、貸方科目情報、振替伝票事例コード（定型仕訳番号）、及び行Ｎｏ．（振替伝票形式で表示する際の表示位置情報）を含むデータ（定型仕訳データ）とに分けて、別々に記憶する構成とすることは、当業者が引用例発明を実施する際に、適宜なし得る設計的事項に過ぎない。
　
５．むすび
　以上のとおり、本願発明は、引用例に記載された発明、及び周知技術に基いて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。